(57)【特許請求の範囲】
【請求項１】
容器の壁面に設けた開口部の内側に導電接触面を外面に形成する導電接続端子を設けたバッテリーパックにおいて、バッテリーパックの容器面に形成した導電接触面形成穴の近傍に導電接続端子の保持用の複数個の係合部を有し、該係合部に導電接続端子を、前記容器の弾性変形によって係合させたことを特徴とするバッテリーパック。
【請求項２】
前記係合部が、前記容器の底部係合部と側面係合部であって、前記導電接続端子の一端を前記底部係合部に係合し、前記導電接続端子の他端を前記底部係合部に係合させたことを特徴とする請求項１記載のバッテリーパック。
【発明の詳細な説明】
【０００１】
【発明の属する技術分野】
本発明は、本発明はバッテリーパックに関するものであり、特に充放電時に充電器あるいは電池使用機器の接点との間に導電接続を形成する導電接触部に特徴を有するバッテリーパックに関するものである。
【０００２】
【従来の技術】
電池を電源とした機器は、小型あるいは携帯用の機器においてひろく用いられている。これらの機器においては、二次電池を使用する場合には必要とする電源容量に応じた着脱自在のバッテリーパックが用いれている。
バッテリーパックは、電気絶縁性の合成樹脂製等の部材からなる容器中に１個もしくは複数個の素電池と、これら素電池を所望の電圧あるいは電流が出力可能なように導電接続する回路、あるいは電池の充電時あるいは放電時の保護用回路等を内蔵している。
【０００３】
また容器の表面には、電池使用機器あるいは充電装置との導電接続を行うための導電接触部を有している。バッテリーパックに設けた導電接触部は、電池使用機器あるいは充電装置と確実な接続が可能であるとともに、バッテリーパックを機器から取り出して放置した場合には、導電性部材と接触して短絡事故等が起こることがないように容器の凹部に設けられている。
【０００４】
図３は、従来のバッテリーパックの導電接触部の形成方法を説明する図である。
図３（Ａ）は、バッテリーパックの下部容器３の一部を破断した斜視図である。
バッテリーパックの下部容器３には、二面が交わる稜をまたいで両面に下部容器３の内面に取り付けた導電接続端子によって塞がれて外部より導電接続端子の接触面に導電接続される接触面形成穴９を有している。下部容器には導電接続端子７を固着することが可能な取り付け用突起１５を有している。そして、図３（Ｂ）に示すように、導電接続端子７を下部容器３の底面に設けた取り付け用突起に、導電接続端子７の開口部１７を嵌合させた後に、取り付け用突起１５の頂部を熱かしめによって融着させて導電接続端子７を固着したものである。
【０００５】
図３（Ｃ）は、図３（Ｂ）のＣ−Ｃ’線の断面を示す図であり、取り付け用突起の上部が熱かしめによって固着が行わた状態を示している。
このような、従来のバッテリーパックにおいては、導電接続端子の熱かしめ工程が必要であると共に、熱かしめによる固着では導電接続端子の位置精度が低くなり易く、導電接続端子とバッテリーパック使用機器の接点あるいは充電装置の接点との導電接続に問題が生じることがあった。
【０００６】
【発明が解決しようとする課題】
本発明は、電池使用機器あるいは充電器との導電接続を確実に行うことが可能なバッテリーパックを提供することを課題とするものである。
【０００７】
【課題を解決するための手段】
本発明の課題は、容器の壁面に設けた開口部の内側に導電接触面を外面に形成する導電接続端子を設けたバッテリーパックにおいて、バッテリーパックの容器面に形成した導電接触面形成穴の近傍に導電接続端子の保持用の複数個の係合部を有し、該係合部に導電接続端子を、前記容器の弾性変形によって係合させたバッテリーパックによって解決することができる。
前記前記係合部が、前記容器の底部係合部と側面係合部であって、前記導電接続端子の一端を前記底部係合部に係合し、前記導電接続端子の他端を前記底部係合部に係合させた前記のバッテリーパックである。
また、開口部が容器の隣接する二面に連続して形成されたものであり、導電接続端子がＬ字状の部材から構成されている前記のバッテリーパックである。
【０００８】
【発明の実施の形態】
本発明は、バッテリーパックに設けた導電接続端子を熱かしめ等の手段を用いることなく、導電接続端子およびバッテリパックの容器壁面の弾性変形を利用してバッテリーパックの容器の壁面に取り付けたものであり、固着が確実であるとともに導電接続端子の取り付け位置精度が正確であり、電池使用機器及び充電器との導電接続を確実に行うことが可能なバッテリーパックを提供するものである。
【０００９】
本発明のバッテリーパックを図面を参照して説明する。
図１は、本発明のバッテリーパックの外観を説明する斜視図である。
バッテリーパック１は、下部容器３および上部容器５からなり、所望の数の素電池を収納し、電池保護回路等を設けるとともに素電池と導電接続端子７とを結線した後に、下部容器３と上部容器５とを接着剤による接着あるいは超音波溶接等の手段による溶接等によって接合が行われたものである。
【００１０】
図２は、本発明のバッテリーパックの導電接続端子の取り付け部を説明する図であり、図２（Ａ）は、バッテリーパックの容器内面の導電接続端子の取り付け部を説明する斜視図である。
バッテリーパックの下部容器３には、二面が交わる稜をまたいで両面に連続する接触面形成穴９を有し、接触面形成穴９の近傍には、導電接続端子の係合部１１を有しており、導電接続端子７を係合部１１に係合させて固定したものである。
図２（Ｂ）は、図２（Ａ）においてＡ−Ａ’線で切断した断面図であり、導電接続端子７の係合部１１への取り付け方法を説明する図である。合成樹脂材料で作製された下部容器３の壁面１３は弾性変形可能であり、それを外方へ変形させるとともに、同時に導電接続端子７の一端を底部係合部１１ａへ係合させて導電接続端子７を弾性変形させて導電接続端子７の他端を側面係合部１１ｂへ取り付け、図２（Ｃ）に示すように、導電接続端子７を固定する。
【００１１】
図２（Ｄ）は、図２（Ｃ）においてＢ−Ｂ’線で切断した断面図であり、導電接続端子は、底部係合部１１ａおよび側面係合部１１ｂに係合して固定されているので、導電接続端子の電池使用機器あるいは充電器との導電接続面とバッテリーパックの壁面との距離ａおよびｂの変動が少なく、導電接続を確実に行うことが可能なバッテリーパックを得ることができる。
【００１２】
本発明のバッテリーパックにおいては、導電接続端子は、二つの壁面の会合部、すなわち角部に形成された２つの面につながる接触穴にＬ字状の部材を用いる例について説明したが、いずれか一方の面のみに形成されるものであっても良い。
また、導電接続端子は、ニッケル板、あるいはニッケルめっき、金めっき等が施されたリン青銅等の薄板を用いることができるが、弾性変形の後に係合部に強く固定することができるバネ状の部材を用いることが好ましい。
【００１３】
【発明の効果】
本発明のバッテリーパックは、導電接続端子の取り付けが確実で、しかも容易に行うことができるとともに、導電接続端子の位置精度が優れたものが得られ、電池使用機器あるいは充電器との導電接続を確実に行うことができる。
【図面の簡単な説明】
【図１】図１は、バッテリーパックの外観を説明する斜視図である。
【図２】図２は、本発明のバッテリーパックの導電接続端子の取り付け部を説明する図である。
【図３】図３は、従来のバッテリーパックの導電接続端子部を説明する図である。
【符号の説明】
１…バッテリーパック、３…下部容器、５…上部容器、７…導電接続端子、９…導電接続端子接触穴、１１…係合部、１１Ａ…第１係合部、１１Ｂ…第２係合部、１３…壁面、１５…取り付け用突起、１７…開口部
【図１】
0004564629.tif 000002
【図２】
0004564629.tif 000003
【図３】
0004564629.tif 000004